(57)【特許請求の範囲】
【請求項１】
無線送信部と、
無線受信部と、
有線信号終端部と、
無線伝送方式を決定し該決定された前記無線伝送方式の情報を出力する伝送方式制御部と、
決定された前記無線伝送方式の情報と前記無線受信部から入力されたデータに基づいて破棄すべきデータを識別して破棄し、それ以外を通過させるデータ識別破棄部と、
を備え、
前記データ識別破棄部を通過したデータを前記有線信号終端部から出力することを特徴とする無線装置。
【発明の詳細な説明】
【技術分野】
【０００１】
本発明は、無線装置に係り、特に変調方式や符号化などの無線伝送方式を切り替えてデータを送信する無線装置に関する。
【背景技術】
【０００２】
無線装置では、映像などのデータを多量に送信する場合は、伝送速度を速くするために無線帯域が広い高速の無線伝送方式を用いる。しかし、無線帯域が広い場合には、無線伝播路の降雨や障害物などが伝送に影響を与え、伝送するデータの誤りが増加し、伝送品質が低下することがあった。このようなときには、無線装置は、無線帯域が狭い低速な無線伝送方式に切り替える必要があった。このため、無線装置は、無線伝播路における降雨や障害物などの状態（以下、無線伝播路状態という）の変動に応じて最適な変調方式、パリティの有無、リードソロモン符号などを選択して無線伝送方式を切り替え、伝送するデータの誤りを低減させ、伝送品質の低下を防止していた。
【０００３】
無線伝送方式の切り替えを行う従来の無線装置３０における送信機能と受信機能について、図面を参照して説明する。図８は、無線装置３０の送信機能５００の構成である。図９は、無線装置３０の受信機能６００の構成である。
【０００４】
まず、図８に示す無線装置３０の送信機能５００について説明する。送信機能５００は、有線信号終端部５１０、伝送方式制御部５２０、及び無線送信部５３０から構成されている。有線信号終端部５１０は、無線装置３０に接続される有線装置（図示せず）とのインターフェースで、有線装置から送信データの有線信号を受信し、無線送信部５３０に送信データを出力する。伝送方式制御部５２０は、無線伝播路状態の情報に基づいて無線伝送方式を決定し、決定した無線伝送方式の情報を無線送信部５３０に出力する。無線伝播路状態の情報は、無線装置３０が備える監視機能などにより収集され、伝送方式制御部５２０に通知される。無線送信部５３０は、伝送方式制御部５２０から無線伝送方式の情報を入力し、また有線信号終端部５１０から送信データを入力すると、決定した無線伝送方式に基づいて送信データを無線信号に変換して送信する。また、無線送信部５３０は、無線帯域が溢れて送信データを送信できないときには、入力した送信データを破棄する。
【０００５】
次に、図９に示す無線装置３０の受信機能６００について説明する。受信機能６００は、無線受信部６１０、伝送方式制御部６２０、及び有線信号終端部６３０から構成されている。無線受信部６１０は、無線信号のＰＬＣＰヘッダ情報を受信すると、ＰＬＣＰヘッダ情報を伝送方式制御部６２０に出力する。ＰＬＣＰヘッダ情報には、無線伝送方式の情報が設定されている。ＰＬＣＰヘッダ情報については、後述する。伝送方式制御部６２０は、無線信号のＰＬＣＰヘッダ情報を入力すると、ＰＬＣＰヘッダ情報から無線伝送方式の情報を取り出し無線受信部６１０に出力する。無線受信部６１０は、無線伝送方式の情報を入力すると、ＰＬＣＰヘッダ情報に設定された無線伝送方式により無線信号の受信データを受信し、受信データを有線信号に変換して有線信号終端部６３０に出力する。有線信号終端部６３０は、無線受信部６１０から受信データを入力すると、有線信号に変換し有線装置に送信する。
【０００６】
このような送信機能５００は、無線伝播路状態の変動に応じて無線伝送方式を切り替えながら、無線信号を送信することができる。また、このような受信機能６００は、無線信号を送信する相手の無線装置が無線伝播路状態に応じて無線伝送方式を切り替えた場合でも、無線信号を受信することができる。しかし、送信機能５００において、無線伝播路状態に応じて無線帯域が狭い無線伝送方式に切り替えられたときには、多量なデータの送信要求により無線帯域が溢れてしまい正常にデータの送信が行えなくなることがある。このような場合には、無線装置３０は、送信要求されたデータを破棄しなければならなかった。
【０００７】
次に、従来技術による無線装置４０における送信バッファを備えた送信機能について、図面を参照して説明する。図１０は、無線装置４０の送信機能７００の構成である。なお、無線装置４０の受信機能の構成は、図９の受信機能６００に同じである。
【０００８】
図１０に示す無線装置４０の送信機能７００について説明する。送信機能７００は、有線信号終端部７１０、伝送方式制御部７２０、無線送信部７３０、及び送信バッファ７４０から構成されている。有線信号終端部７１０は、無線装置４０に接続される有線装置（図示せず）とのインターフェースで、有線装置から送信データの有線信号を受信し、送信バッファ３４０に出力する。また、有線信号終端部７１０は、送信バッファ７４０が満杯になったときは、入力した送信データを破棄する。伝送方式制御部７２０は、無線伝播路状態の情報に基づいて無線伝送方式を決定し、決定した無線伝送方式の情報を無線送信部７３０に出力する。無線伝播路状態の情報は、無線装置４０が備える監視機能などにより収集され、伝送方式制御部７２０に通知される。無線送信部７３０は、伝送方式制御部７２０から無線伝送方式の情報を入力し、また送信バッファ７４０から送信データを入力すると、決定された無線伝送方式に基づいて送信データを無線信号に変換して送信する。
【０００９】
このような送信機能７００は、送信バッファ７４０が満杯になったときは、有線信号終端部７１０は送信データを破棄しなければならない。つまり、無線帯域が溢れて無線送信部７３０が送信データを送信できないときには、無線送信部７３０は送信バッファ７４０から送信データを取り出すことができないので、送信バッファ７４０が満杯となり送信データを破棄しなければならなかった。
【００１０】
従来の無線装置３０、及び無線装置４０において、例えば、ＶｏＩＰ（Voice over Internet Protocol）のリアルタイム型アプリケーションによる音声データの送信では、時間的に遅れた音声データは不要となる。また、データ量が無線帯域を超えた状態において一部分だけ送信されたデータについても不要、もしくは正常復帰の妨げとなる。例えば、映像データを表示装置に無線信号で送信する場合において、無線帯域を超えた状態のときに歯抜け状態の映像データが送信される。次いで、データ量が無線帯域を超えた状態から無線帯域を超えない状態に変化したとき、映像データの一部しか更新されない。しかし、このような歯抜け状態の映像データは不要である。また、歯抜け状態の映像データが送信されると画像の全ての映像データを受信するまで表示装置は待ち状態となり、この待ち状態がタイムアウトするまで、表示装置は次の画像の映像データを受信することができない。このため、正常な画像が表示されるまでの時間が延びてしまうことで正常復帰の妨げとなる。また、送信時間の変動は、有線装置におけるデータ到達時間のゆらぎとしてアプリケーションに影響を与える。つまり、無線伝播路状態の変動に応じて無線伝送方式を切り替えることで、有線装置からの制御指令が末端の装置に届くまでの時間が変動するので、時間内に制御を行わなければならないときには制御指令の到達が遅れることで制御処理が正しく実行されない。例えば、無線伝送方式の変調方式において、転送速度が低レートで遅い「ＱＰＳＫ」では「１６ＱＡＭ」の２倍の時間がかかり、また「６４ＱＡＭ」の３倍の時間がかかり、更に転送速度が高レートで速い「１０２４ＱＡＭ」の５倍の時間がかかる。
【００１１】
また、通信装置のパケット転送における技術として下記特許文献１がある。特許文献１では、基地局装置や加入者局装置において、無線送信のためのバッファを使用目的に合わせて複数用意しておき、無線の通信帯域が逼迫した場合に、それぞれのバッファ内に格納されるパケット転送の条件を変化させることで、最適なパケット転送を行うことができる技術を提供している。
【先行技術文献】
【特許文献】
【００１２】
【特許文献１】特開２００４−１６５７６３
【発明の概要】
【発明が解決しようとする課題】
【００１３】
特許文献１では、データの使用目的毎にパケット転送の条件を変化させることで、データの使用目的に適した無線送信のデータ転送を行うことができる。しかし、データ量により無線帯域を超える状態が続いた場合に、時間的に遅れたデータを送信してしまう問題、一部のデータを破棄して歯抜け状態のデータを送信することで表示復帰に時間がかかる問題、及び無線伝送方式を切り替えたときにデータ到達時間のゆらぎとしてアプリケーションに影響を与えるという問題に対処することはできない。
【００１４】
本発明はこのような状況に鑑みてなされたものであり、上記課題を解決できる無線装置を提供することを目的とする。
【課題を解決するための手段】
【００１５】
本発明の無線装置は、無線送信部と、無線受信部と、有線信号終端部と、無線伝送方式を決定し該決定された前記無線伝送方式の情報を出力する伝送方式制御部と、決定された前記無線伝送方式の情報と前記無線受信部から入力されたデータに基づいて破棄すべきデータを識別して破棄し、それ以外を通過させるデータ識別破棄部と、を備え、前記データ識別破棄部を通過したデータを前記有線信号終端部から出力することを特徴としている。
【発明の効果】
【００１６】
本発明によれば、データ量により無線帯域を超える状態が続いた場合でも、時間的に遅れたデータを送信しない、一部のデータを破棄して歯抜け状態のデータを送信しないので表示復帰に時間がかからない、及び無線伝送方式を切り替えたときでもデータ到達時間のゆらぎとしてアプリケーションに影響を与えないようにする無線装置を提供できる。
【図面の簡単な説明】
【００１７】
【図１】本発明の実施形態１に係る無線装置の送信機能の構成を示す図である。
【図２】本発明の実施形態１に係る無線装置の受信機能の構成を示す図である。
【図３】本発明の実施形態に係るフィルタリング設定テーブルの構成を示す図である。
【図４】本発明の実施形態に係るフレームフォーマットの構成を示す図である。
【図５】本発明の実施形態に係るデータフォーマットの構成を示す図である。
【図６】本発明の実施形態２に係る無線装置の送信機能の構成を示す図である。
【図７】本発明の実施形態２の変形例に係る無線装置の送信機能の構成を示す図である。
【図８】従来技術に係る無線装置の送信機能の構成を示す図である。
【図９】従来技術に係る無線装置の受信機能の構成を示す図である。
【図１０】従来技術に係る送信バッファを備えた送信機能の構成を示す図である。
【発明を実施するための形態】
【００１８】
（第１の実施形態）
本発明を実施するための第１の実施形態(以下、実施形態１という)は、データ量により無線帯域を超える状態となったときに、データを識別して必ずしも送信する必要のないデータを破棄する実施形態である。以下、本発明の実施形態１について図面を参照して説明する。図１は、実施形態１における無線装置１０の送信機能１００の構成である。図２は、実施形態１における無線装置１０の受信機能２００の構成である。
【００１９】
図１に示す無線装置１０の送信機能１００は、有線信号終端部１１０、伝送方式制御部１２０、無線送信部１３０、データ識別破棄部１４０、及び不揮発性メモリ１５０から構成されている。不揮発性メモリ１５０には、フィルタリング設定テーブル１５０ａが保存されている。図２に示す無線装置１０の受信機能２００は、無線受信部２１０、伝送方式制御部２２０、有線信号終端部２３０、データ識別破棄部２４０、及び不揮発性メモリ２５０から構成されている。不揮発性メモリ２５０には、フィルタリング設定テーブル２５０ａが保存されている。
【００２０】
まず、不揮発性メモリ１５０に保存されている図３に示すフィルタリング設定テーブル１５０ａの構成について説明する。不揮発性メモリ２５０に保存されているフィルタリング設定テーブル２５０ａの構成も図３に示すフィルタリング設定テーブル１５０ａの構成に同じである。但し、以下の説明において、フィルタリング設定テーブル２５０ａでは「送信データ」は「受信データ」となる。
【００２１】
フィルタリング設定テーブル１５０ａは、「無線伝送方式」と「フィルタリング処理」の項目から構成されている。なお、フィルタリング処理とは、無線伝送方式に基づいて送信するデータと送信しないデータを判別し、送信しないと判別されたデータを破棄し、それ以外を通過させる処理をいう。「無線伝送方式」は、無線伝送方式が設定されている項目で、変調方式の「ＱＰＳＫ」、「１６ＱＡＭ」、及び「６４ＱＡＭ」を設定している。「ＱＰＳＫ」は転送速度が低レートで遅い変調方式であり、「１６ＱＡＭ」は転送速度が中レートの変調方式であり、「６４ＱＡＭ」は転送速度が高レートで速い変調方式である。「フィルタリング処理」は、「無線伝送方式」に対応したフィルタリング処理のプログラムを設定する項目である。「無線伝送方式」が「ＱＰＳＫ」のときには、ＳＮＭＰ（Simple Network Management Protocol）データ以外を破棄する処理を行うので、「ＱＰＳＫ」に対応する「フィルタリング処理」には、その処理のプログラムが設定される。また、「無線伝送方式」が「１６ＱＡＭ」のときには、ＲＴＰ（Real time Transport Protocol）データを破棄する処理を行うので、「１６ＱＡＭ」に対応する「フィルタリング処理」には、その処理のプログラムが設定される。また、「無線伝送方式」が「６４ＱＡＭ」のときには、データの破棄は行わないので、「６４ＱＡＭ」に対応する「フィルタリング処理」はブランクとなり、プログラムは設定されない。このようにフィルタリング設定テーブル１５０ａを設定することで、変調方式を「ＱＰＳＫ」に切り替えて無線帯域を超える状態が続いたときにも、ＳＮＭＰのデータ以外を破棄することで監視や制御に必要なデータのみを通過させることができる。また、変調方式を「１６ＱＡＭ」に切り替えて無線帯域を超える状態が続いたときにも、ＲＴＰデータを破棄することで映像や音声のデータを通過させないことができる。また、無線帯域を超える状態が復帰して変調方式を「６４ＱＡＭ」に切り替えたときには、データの破棄は行わないので全てのデータを通過させることができる。
【００２２】
次に、無線通信のフレーム構成について説明する。図４に無線通信フレームの一例であるＩＥＥＥ８０２．１１のフレームフォーマット９００の構成を示す。図５に、ＩＥＥＥ８０２．１１のフレームフォーマット９００に設けられているＤａｔａ９４０の構成を示す。図５（１）に、Ｄａｔａ９４０の一例としてＵＤＰパケット（ＩＰｖ４）データ９４０ａの構成を示す。図５（２）に、データ９４３の一例としてＲＴＰパケット（ＲＦＣ３５５０）データ９４３ａの構成を示す。以下、ＩＥＥＥ８０２．１１のフレームフォーマット９００の構成、ＵＤＰパケット（ＩＰｖ４）データ９４０ａとＲＴＰパケット（ＲＦＣ３５５０）データ９４３ａの構成、及び実施形態１に関係するデータについて説明する。
【００２３】
図４に示すＩＥＥＥ８０２．１１のフレームフォーマット９００は、ＰＬＣＰプリアンブル９１０、ＰＬＣＰヘッダ９２０、ＩＥＥＥ８０２．１１ヘッダ９３０、Ｄａｔａ９４０、及びＦＣＳ９５０の項目から構成されている。ＰＬＣＰプリアンブル９１０、及びＰＬＣＰヘッダ９２０は、物理ヘッダである。ＩＥＥＥ８０２．１１ヘッダ９３０、Ｄａｔａ９４０、及びＦＣＳ９５０はＭＡＣフレーム（ＰＳＤＵ）である。ＰＬＣＰヘッダ９２０が前述したＰＬＣＰヘッダ情報であり、ＰＬＣＰヘッダ９２０には無線伝送方式の変調方式の情報（伝送速度、データ長などの情報）が設定されている。図５（１）に示すＵＤＰパケット（ＩＰｖ４）データ９４０ａは、図４に示すＤａｔａ９４０の一例としてのデータ構成である。ＵＤＰパケット（ＩＰｖ４）データ９４０ａは、ＩＰヘッダ、送信元ポート９４１、あて先ポート９４２、データ長、チェックサム、及びデータ９４３の項目から構成されている。送信元ポート９４１には、送信元のポート番号が設定され、あて先ポート９４２には、あて先のポート番号が設定される。図５（２）に示すＲＴＰパケット（ＲＦＣ３５５０）データ９４３ａは、図５（１）に示すＵＤＰパケット（ＩＰｖ４）データ９４０ａのデータ９４３の一例としてのデータ構成である。ＲＴＰパケット（ＲＦＣ３５５０）データ９４３ａは、Ｖ（バージョン）、Ｐ（パディング）、Ｘ（拡張）、ＣＣ（ＣＳＲＣカウント）、Ｍ（マーカ）、ＰＴ（ペイロードタイプ）、順序番号、タイムスタンプ、ＳＳＲＣ（送信元ＩＤ）、ＣＳＲＣ（寄与ノードＩＤ）、及びリアルタイムデータ９４４の項目から構成されている。リアルタイムデータ９４４には、映像や音声などのリアルタイムで送信または受信するデータが設定されている。
【００２４】
次に、図１に示す無線装置１０の送信機能１００について説明する。有線信号終端部１１０は、無線装置１０に接続される有線装置（図示せず）とのインターフェースで、有線装置から送信データの有線信号を受信し、データ識別破棄部１４０に送信データを出力する。伝送方式制御部１２０は、無線伝播路状態の情報に基づいて、無線伝播路状態に対応した無線伝送方式を決定する。そして、伝送方式制御部１２０は、決定した無線伝送方式の情報を無線送信部１３０とデータ識別破棄部１４０に出力する。無線伝播路状態の情報（例えば、電界強度やビットエラーレートＢＥＲなど）は、無線装置１０が備える監視機能などにより収集され、伝送方式制御部１２０に通知される。データ識別破棄部１４０は、伝送方式制御部１２０から無線伝送方式の情報を入力し、また有線信号終端部１１０から送信データを入力し、更に不揮発性メモリ１５０からフィルタリング設定テーブル１５０ａを読込む。次に、データ識別破棄部１４０は、フィルタリング設定テーブル１５０ａに基づいて決定された「無線伝送方式」に対する「フィルタリング処理」を実行する。この処理を実行することで有線信号終端部１１０から入力する送信データがフィルタリングされる。次に、データ識別破棄部１４０は、フィルタリング処理された送信データを無線送信部１３０に出力する。無線送信部１３０は、伝送方式制御部１２０から無線伝送方式の情報を入力し、またデータ識別破棄部１４０から送信データを入力すると、送信データが決定された無線伝送方式に基づいて無線信号に変換して送信する。
【００２５】
このような送信機能１００において、例えば、「無線伝送方式」が「ＱＰＳＫ」のときには、「フィルタリング処理」は「ＰＲＧ１」となるので、「ＰＲＧ１」により、図５（１）に示す送信元ポート番号が１６１、あて先ポート番号が１６２の送信データのみを通過させ、それ以外の送信データを破棄する処理が行われる。これにより、ＳＮＭＰデータ以外を破棄し、監視・制御データのみを通過させることができる。また、「無線伝送方式」が「１６ＱＡＭ」のときには、「フィルタリング処理」は「ＰＲＧ２」となるので、「ＰＲＧ２」により図５（１）に示す送信元ポート番号が５００４、あて先ポート番号が５００５の送信データを破棄し、それ以外の送信データを通過させる処理が行われる。これにより、図５（２）に示すＲＴＰパケットデータを破棄することで、映像・音声データを通過させないことができる。また、「無線伝送方式」が「６４ＱＡＭ」のときには、「フィルタリング処理」は「ブランク」となるので、全ての送信データを通過させる。
【００２６】
次に、図２に示す無線装置１０の受信機能２００について説明する。無線受信部２１０は、無線信号を受信すると、ＰＬＣＰヘッダ情報を伝送方式制御部２２０に出力する。ＰＬＣＰヘッダ情報には、無線伝送方式の情報が設定されている。伝送方式制御部２２０は、無線信号のＰＬＣＰヘッダ情報を入力すると、ＰＬＣＰヘッダ情報から無線伝送方式の情報を決定し無線受信部２１０に出力する。無線受信部２１０は、無線伝送方式の情報を入力すると、無線信号の受信データをＰＬＣＰヘッダ情報に設定された無線伝送方式により受信し、受信データをデータ識別破棄部２４０に出力する。データ識別破棄部２４０は、伝送方式制御部２２０から無線伝送方式の情報を入力し、また無線受信部２１０から受信データを入力し、更に不揮発性メモリ２５０からフィルタリング設定テーブル２５０ａを読込む。次に、データ識別破棄部２４０は、フィルタリング設定テーブル２５０ａに基づいて、ＰＬＣＰヘッダ情報に設定された「無線伝送方式」に対する「フィルタリング処理」を実行する。この処理を実行することで無線受信部２１０から入力する受信データがフィルタリングされる。次に、データ識別破棄部２４０は、フィルタリング処理された受信データを有線信号終端部２３０に出力する。有線信号終端部２３０は、データ識別破棄部２４０から受信データを入力すると、受信データを有線信号に変換して有線装置に送信する。
【００２７】
このような実施形態１の送信機能１００によれば、無線伝播路状態に応じて無線伝送方式を切り替え、データ量により無線帯域を超える状態が続いたときにも、切り替えた無線伝送方式に対応するフィルタリング処理で送信データをフィルタリングしながら無線信号を送信することができる。また、このような実施形態１の受信機能２００は、無線信号を送信する相手の無線装置が無線伝送方式を切り替えた場合でも、無線信号を受信することができ、更に切り替えた無線伝送方式に対応するフィルタリング処理を行った有線信号を有線装置に出力することができる。
【００２８】
（第２の実施形態）
本発明を実施するための第２の実施形態(以下、実施形態２という)は、無線装置２０における送信バッファを備えた実施形態である。以下、本発明の実施形態２について図面を参照して説明する。図６は、実施形態２における無線装置２０の送信機能３００である。無線装置２０の受信機能は、図２の受信機能２００に同じである。
【００２９】
まず、図６に示す無線装置２０の送信機能３００について説明する。送信機能３００は、有線信号終端部３１０、伝送方式制御部３２０、無線送信部３３０、データ識別破棄部３４０、不揮発性メモリ３５０、及び送信バッファ３６０から構成されている。不揮発性メモリ３５０には、フィルタリングテーブル３５０ａが保存されている。有線信号終端部３１０は実施形態１の有線信号終端部１１０、伝送方式制御部３２０は実施形態１の伝送方式制御部１２０、フィルタリング設定テーブル３５０ａは、実施形態１のフィルタリング設定テーブル１５０ａに同じである。以下、実施形態１と異なる処理について説明する。
【００３０】
データ識別破棄部３４０は、伝送方式制御部３２０から決定された無線伝送方式の情報を入力し、また有線信号終端部３１０から送信データを入力し、更に不揮発性メモリ３５０からフィルタリング設定テーブル３５０ａを読込む。次に、データ識別破棄部３４０は、フィルタリング設定テーブル３５０ａに基づいて伝送方式制御部３２０で決定された「無線伝送方式」に対する「フィルタリング処理」を実行する。この処理を実行することで有線信号終端部３１０から入力する送信データがフィルタリングされる。次に、データ識別破棄部３４０は、フィルタリング処理された送信データを送信バッファ３６０に出力する。無線送信部３３０は、伝送方式制御部３２０から無線伝送方式の情報を入力し、また送信バッファ３６０から送信データを入力すると、送信データを決定した無線伝送方式に基づいて無線信号に変換して送信する。
【００３１】
このような実施形態２の送信機能３００によれば、無線伝播路状態に応じて無線伝送方式を切り替え、データ量により無線帯域を超える状態が続いたときにも、送信データのフィルタリングを行っても無線帯域に空がないときには、送信データを破棄せずに送信バッファ３６０に一時的に保存することができる。
【００３２】
また、実施形態２の変形例である送信機能３００ａを図７に示す。送信機能３００ａに示すように、有線信号終端部３１０とデータ識別破棄部３４０との間に送信バッファ３６０を設けるようにすることも可能である。このような構成とすることで、有線信号終端部３１０により送信データが一旦送信バッファ３６０に保存されるので、有線装置からの送信データ量に影響されずに、データ識別破棄部３４０はフィルタリング処理を行うことができる。
【００３３】
なお、実施形態１の図２に示す受信機能２００についても受信バッファを設けるようにすることも可能である。例えば、無線受信部２１０とデータ識別破棄部２４０との間に受信バッファを設けることで、無線受信部２１０により受信データが一旦受信バッファに保存されるので、無線受信部２１０からの受信データ量に影響されずに、データ識別破棄部２４０はフィルタリング処理を行うことができる。また、データ識別破棄部２４０と有線信号終端部２３０の間に受信バッファを設けることで、データ識別破棄部２４０からの受信データ量に影響されずに、有線信号終端部２３０は受信データを処理することができる。
【００３４】
なお、実施形態１、及び実施形態２において、無線帯域の状態に基づいて「無線伝送方式」を切り替え、「無線伝送方式」に対応した「フィルタリング処理」を行うようにしたが、送信データの種別（例えば、制御データ、監視データ、映像データ、音声データなど）毎に「優先レベル」（例えば、優先度が高い順に優先レベル１、優先レベル２など）を決め、「無線伝送方式」にこの「優先レベル」を対応させる（例えば、「ＱＰＳＫ」は優先レベル１、「１６ＱＡＭ」は優先レベル１と優先レベル２、「６４ＱＡＭ」は全ての優先レベルなどに対応させる）ことも可能である。このように「無線伝送方式」に「優先レベル」を対応させることで、この「優先レベル」に該当する送信データのみを送信することができる。
【００３５】
なお、実施形態１と実施形態２における有線信号終端部はこれに限定されず、有線信号終端部を無線信号終端部とすることで、無線装置１０及び無線装置２０は無線信号を中継することができる。
【００３６】
実施形態１と実施形態２によれば、データ量により無線帯域を超える状態が続いた場合でも、時間的に遅れたデータを送信しない、一部のデータを破棄して歯抜け状態のデータを送信しないので表示復帰に時間がかからない、及び無線伝送方式を切り替えたときでもデータ到達時間のゆらぎとしてアプリケーションに影響を与えないようにする無線装置を提供できる。つまり、実施形態１と実施形態２の無線装置は、無線伝播路状態に応じて無線伝送方式を切り替え、切り替えた無線伝送方式に応じて有線装置から中継する送信データをフィルタリングするので、適応変調で無線伝送速度が低下して無線帯域が不足する場合でも、優先レベルの高い送信データを優先して無線伝送することができる。また、実施形態１と実施形態２の無線装置は、少なくても１つ以上の無線伝送方式に切り替え、無線伝送方式に対応した識別パターンで送信データをフィルタリングするので、適応変調で無線伝送速度が低下して無線帯域が不足する場合でも、識別パターンに従って優先レベルの高い送信データを優先して送信することができる。このように、実施形態１と実施形態２の無線装置は、適応変調で無線伝送速度が低下して無線帯域が不足した場合でも、優先レベルの高い送信データのみを送信するので、無線伝送遅延時間を所定の範囲内に収めることができる。
【００３７】
以上、具体的な実施の形態により本発明を説明したが、上記実施の形態は本発明の例示であり、この実施の形態に限定されないことは言うまでもない。
【００３８】
以上の実施態様の特徴をまとめると次のようになる。
（１） 本発明の無線装置は、無線送信部と、無線受信部と、有線信号終端部と、無線伝送方式を決定し該決定された前記無線伝送方式の情報を出力する伝送方式制御部と、決定された前記無線伝送方式の情報と前記無線受信部又は前記有線信号終端部から入力されたデータについて破棄すべきデータを識別して破棄し、それ以外を通過させるデータ識別破棄部と、を備え、前記データ識別破棄部を通過したデータを前記無線送信部から送信、又は前記有線信号終端部から出力することを特徴としている。
（２）（１）の無線装置は、前記伝送方式制御部が無線伝播路状態に基づいて前記無線伝送方式を決定することを特徴としている。
（３）（１）の無線装置は、前記伝送方式制御部が、前記無線受信部で受信したＰＬＣＰヘッダ情報に基づいて無線伝送方式を決定することを特徴としている。
（４）（１）から（３）のいずれかの無線装置は、前記伝送方式制御部が、前記無線送信部に前記無線伝送方式の情報を出力、又は前記無線受信部から前記無線伝送方式の情報を入力することを特徴としている。
（５）（１）から（４）のいずれかの無線装置は、前記通過したデータを一時的に保存する第１の送信バッファを備え、前記データ識別破棄部は前記通過したデータを前記第１の送信バッファに保存し、前記無線送信部は前記第１の送信バッファから前記通過したデータを取り出すことを特徴としている。
（６）（１）から（５）のいずれかの無線装置は、送信要求されたデータを一時的に保存する第２の送信バッファを備え、前記送信要求されたデータが前記第２の送信バッファに保存され、前記データ識別破棄部は前記第２の送信バッファから前記送信要求されたデータを取り出すことを特徴としている。
（７）（１）から（６）のいずれかの無線装置は、前記無線伝送方式に対応した前記データ識別破棄部の処理が設定されるフィルタリング設定テーブルを記憶するフィルタリング設定記憶部を備えたことを特徴としている。
（８）（１）から（７）のいずれかの無線装置の前記通過したデータは、ＳＮＭＰデータであることを特徴としている。
（９）（１）から（８）のいずれかの無線装置の前記破棄すべきデータは、映像または音声のデータであることを特徴としている。
（１０）（１）から（９）のいずれかの無線装置の前記データ識別破棄部は、データに設定される優先度に基づいて通過させるデータと破棄すべきデータを識別することを特徴としている。
（１１）（１）から（１０）のいずれかの無線装置は、受信したデータを一時的に保存する第１の受信バッファを備え、前記無線受信部は受信したデータを前記第１の受信バッファに保存し、前記データ識別破棄部は前記第１の受信バッファからデータを取り出すことを特徴としている。
（１２）（１）から（１１）のいずれかの無線装置は、前記通過したデータを一時的に保存する第２の受信バッファを備え、前記データ識別破棄部は前記通過したデータを前記第２の受信バッファに保存し、前記有線信号終端部は前記第２の受信バッファから前記通過したデータを取り出すことを特徴としている。
（１３）本発明の無線装置は、無線送信部と、無線受信部と、有線信号終端部と、無線伝送方式を決定し該決定された前記無線伝送方式の情報を出力する伝送方式制御部と、決定された前記無線伝送方式の情報と前記無線受信部又は前記有線信号終端部から入力されたデータに基づいて破棄すべきデータを識別して破棄し、それ以外を通過させるデータ識別破棄部と、を備え、前記有線信号終端部から入力した場合は前記データ識別破棄部を通過したデータを前記無線送信部から送信し、前記無線受信部から入力した場合は前記データ識別破棄部を通過したデータを前記有線信号終端部から出力することを特徴としている。
（１４）本発明の無線装置は、無線送信部と、無線受信部と、有線信号終端部と、無線伝送方式を決定し該決定された前記無線伝送方式の情報を出力する伝送方式制御部と、決定された前記無線伝送方式の情報と前記無線受信部又は前記有線信号終端部から入力されたデータに基づいて破棄すべきデータを識別して破棄し、それ以外を通過させるデータ識別破棄部と、を備え、前記有線信号終端部から入力した場合は前記データ識別破棄部を通過したデータを前記無線送信部から送信し、前記無線受信部から入力した場合は前記データ識別破棄部を通過したデータを前記有線信号終端部又は前記無線送信部から出力することを特徴としている。
（１５）本発明の無線装置のデータ制御方法は、無線送信工程と、無線受信工程と、有線信号終端工程と、無線伝送方式を決定し該決定された前記無線伝送方式の情報を出力する伝送方式制御工程と、決定された前記無線伝送方式の情報と前記無線受信工程又は前記有線信号終端工程から入力されたデータに基づいて破棄すべきデータを識別して破棄し、それ以外を通過させるデータ識別破棄工程と、を備え、前記データ識別破棄工程を通過したデータを前記無線送信工程から送信、又は前記有線信号終端工程から出力することを特徴としている。
【産業上の利用可能性】
【００３９】
本発明は、無線装置に好適であるが、無線装置に限られるものではなく、通信を行う装置一般に適用可能である。
【符号の説明】
【００４０】
１０、２０、３０、４０・・・無線装置
１００、３００、３００ａ、５００、７００・・・送信機能
１１０、２３０、３１０、５１０、６３０、７１０・・・有線信号終端部
１２０、２２０、３２０、５２０、６２０、７２０・・・伝送方式制御部
１３０、３３０、５３０、７３０・・・無線送信部
１４０、２４０、３４０・・・データ識別破棄部
１５０、２５０、３５０・・・不揮発性メモリ
１５０ａ、２５０ａ、３５０ａ、・・・フィルタリング設定テーブル
２００、６００・・・受信機能
２１０、６１０・・・無線受信部
３６０、７４０・・・送信バッファ
９００・・・ＩＥＥＥ８０２．１１のフレームフォーマット
９１０・・・ＰＬＣＰプリアンブル
９２０・・・ＰＬＣＰヘッダ
９３０・・・ＩＥＥＥ８０２．１１ヘッダ
９４０・・・Ｄａｔａ
９４０ａ・・ＵＤＰパケット（ＩＰｖ４）データ
９４１・・・送信元ポート
９４２・・・あて先ポート
９４３・・・データ
９４３ａ・・ＲＴＰパケット（ＲＦＣ３５５０）データ
９４４・・・リアルタイムデータ
９５０・・・ＦＣＳ
【図１】
0005789379.tif 000002
【図２】
0005789379.tif 000003
【図３】
0005789379.tif 000004
【図４】
0005789379.tif 000005
【図５】
0005789379.tif 000006
【図６】
0005789379.tif 000007
【図７】
0005789379.tif 000008
【図８】
0005789379.tif 000009
【図９】
0005789379.tif 000010
【図１０】
0005789379.tif 000011